(57)【要約】【課題】被照明物体が比較的近い場所に配置された場合でも光の色斑の発生を抑制できる光源ユニットを提供する。【解決手段】光源ユニット１は、発光モジュール１０，２０，３０を備える。発光モジュール１０は、基板１１と、当該基板１１上に実装された発光部１２とを有する。発光モジュール２０は、透光性を有し且つ基板１１における発光部１２側に配された基板２１と、当該基板２１上に実装された発光部２２とを有する。発光モジュール３０は、透光性を有し且つ基板２１における発光部２２側に配された基板３１と、当該基板３１上に実装された発光部３２とを有する。発光部１２の主光放射方向から見たときに、発光部２２，３２が発光部１２に重なっている。【選択図】図１
2014135150.tif 000002
【特許請求の範囲】
【請求項１】
第１基板と、当該第１基板上に実装された第１発光部を有する第１発光モジュールと、
透光性を有し且つ前記第１基板における前記第１発光部側に配された第２基板と、当該第２基板上に実装され且つ少なくとも一部が透光性を有するとともに、前記第１発光部から放射される光の波長帯域とは異なる波長帯域を主とする光を放射する第２発光部とを有する第２発光モジュールとを備え、
前記第１発光部の主光放射方向から見たときに、前記第２発光部のうち透光性を有する部分の少なくとも一部が前記第１発光部に重なっている
ことを特徴とする光源ユニット。
【請求項２】
前記第２発光部は、前記第１発光部から放射される光の波長帯域よりも長波長側の波長帯域を主とする光を放射し、発光素子を有する
ことを特徴とする請求項１記載の光源ユニット。
【請求項３】
前記第１発光部は、第１発光素子と、当該第１発光素子から放射される光の一部を第１波長帯域の光に変換する第１蛍光体を含有する第１波長変換部材とを有し、
前記第２発光部は、第２発光素子と、当該第２発光素子から放射される光の一部を前記第１波長帯域とは異なる第２波長帯域の光に変換する第２蛍光体を含有する第２波長変換部材とを有する
ことを特徴とする請求項１記載の光源ユニット。
【請求項４】
前記第１波長帯域は、前記第２波長帯域に比べて短波長側である
ことを特徴とする請求項３記載の光源ユニット。
【請求項５】
前記第１波長帯域は、前記第２波長帯域に比べて長波長側である
ことを特徴とする請求項３記載の光源ユニット。
【請求項６】
前記第１発光部および前記第２発光部の一方から放射される光は、４８０ｎｍ乃至６３０ｎｍの波長帯域で分光放射強度が最大値となるような分光放射スペクトルを有し、
前記第１発光部および前記第２発光部の他方から放射される光は、５４０ｎｍ乃至７８０ｎｍの波長帯域で分光放射強度が最大値となるような分光放射スペクトルを有する
ことを特徴とする請求項１乃至５のいずれか１項に記載の光源ユニット。
【請求項７】
前記第１発光部および前記第２発光部の一方から放射される光は、３５０ｎｍ乃至５２０ｎｍの波長帯域で分光放射強度が最大値となるような分光放射スペクトルを有し、
前記第１発光部および前記第２発光部の他方から放射される光は、５４０ｎｍ乃至７８０ｎｍの波長帯域で分光放射強度が最大値となるような分光放射スペクトルを有する
ことを特徴とする請求項１乃至５のいずれか１項に記載の光源ユニット。
【請求項８】
前記第１発光部および前記第２発光部の一方から放射される光は、３５０ｎｍ乃至５２０ｎｍの波長帯域で分光放射強度が最大値となるような分光放射スペクトルを有し、
前記第１発光部および前記第２発光部の他方から放射される光は、４８０ｎｍ乃至６３０ｎｍの波長帯域で分光放射強度が最大値となるような分光放射スペクトルを有する
ことを特徴とする請求項１乃至５のいずれか１項に記載の光源ユニット。
【請求項９】
前記第１基板と熱的に結合したヒートシンクを更に備える
ことを特徴とする請求項１記載の光源ユニット。
【請求項１０】
前記第１発光部は、赤色発光ダイオードから構成される
ことを特徴とする請求項１０記載の光源ユニット。
【請求項１１】
前記第２発光部は、白色フィラーが充填された透明樹脂材料からなるダイアタッチ材により基板に固着されている
ことを特徴とする請求項１記載の光源ユニット。
【請求項１２】
請求項１乃至１１のいずれか１項に記載の光源ユニットと、
前記第１発光部および前記第２発光部それぞれに各別に電流供給を行う電源回路とを備える
ことを特徴とする照明装置。
【発明の詳細な説明】
【技術分野】
【０００１】
本発明は、光源ユニットおよびこれを用いた照明装置に関し、特に、光源ユニットから放射される光の色斑改善技術に関する。
【背景技術】
【０００２】
近年、ＬＥＤ（Ｌｉｇｈｔ  Ｅｍｉｔｔｉｎｇ  Ｄｉｏｄｅ）を用いた照明用の光源ユニットが普及しつつある。そして、様々に変化する生活シーンに応じて照明光の色温度を自由に変更できる光源ユニットの実現の要望がある。
これに対して、従来から、色温度を変化させる機能を有する光源ユニットが提案されている（特許文献１参照）。特許文献１に記載された光源ユニットは、ＬＥＤと蛍光体を組み合わせてなり且つ互いに波長帯域の異なる光を放射する３種類の発光部を備える。３種類の発光部は、光源ユニットが備える一つの基板上に点在する形で配置されている。そして、光源ユニットの被照射面において、３種類の発光部から放射される光の照射領域が重なるところでは白色光になる。また、この白色光は、３種類の発光部から放射される光の比率の変化に伴い、その色温度が変化する。
【先行技術文献】
【特許文献】
【０００３】
【特許文献１】特開２０１２−１１３９５８号公報
【発明の開示】
【発明が解決しようとする課題】
【０００４】
しかしながら、前述のように、特許文献１に記載された発光モジュールは、３種類の発光部が一つの基板上に点在する形で配置されている。そのため、被照明物体が光源ユニットから近い場所に配置されると、被照明物体が配置された場所において、各発光部それぞれから放射された光の照射領域が重ならないことに起因した光の色斑が顕著になってしまう。
【０００５】
本発明は、上記事由に鑑みてなされたものであり、被照明物体が比較的近い場所に配置された場合でも光の色斑の発生を抑制できる光源ユニットを提供することを目的とする。
【課題を解決するための手段】
【０００６】
本発明の一態様に係る光源ユニットは、第１発光モジュールと、第２発光モジュールとを備える。第１発光モジュールは、第１基板と、当該第１基板上に実装された第１発光部とを有する。第２発光モジュールは、透光性を有し且つ第１基板における第１発光部側に配された第２基板と、当該第２基板上に実装された第２発光部とを有する。第２発光部は、少なくとも一部が透光性を有し、第１発光部から放射される光の波長帯域とは異なる波長帯域の光を放射する。そして、第１発光部の主光放射方向から見たときに、第２発光部のうち透光性を有する部分の少なくとも一部が第１発光部に重なっている。
【発明の効果】
【０００７】
本構成によれば、第１発光部の主光放射方向から見たときに、第２発光部の少なくとも一部が第１発光部に重なっており、第２発光部は透光性を有する第２基板上に実装されている。従って、第１発光部から放射された光が第２基板および第２発光部の少なくとも一部を透過して第２発光部における第１発光部側とは反対側に導かれ、第２発光部から放射された光の一部も第１発光部の主光出射方向に放射される。これにより、第１発光部の照射領域と、第２発光部の照射領域とが、光源ユニットと被照明物体との間の距離に関わらず必ず重なることになる。つまり、光源ユニットと被照明物体との間の距離に関わらず、被照明物体が配置された場所で第１、第２発光部の照射領域の一部を重ねることができる。従って、被照明物体が配置された場所において、第１、第２発光部それぞれから放射された光の照射領域が重ならないことに起因した光の色斑の発生を抑制できる。
【図面の簡単な説明】
【０００８】
【図１】実施の形態１に係る光源ユニットを示し、（ａ）は一部破断した分解斜視図、（ｂ）は（ａ）におけるＡ−Ａ線で破断して得られる断面の矢視図。
【図２】実施の形態１に係る光源ユニットの要部分解斜視図。
【図３】光源ユニットから当該光源ユニットの主光放射方向に沿って離間した位置に配置されたスクリーン上において、（ａ）は実施の形態１に係る光源ユニットの配光特性を示す概念図、（ｂ）は比較例に係る光源ユニットの配光特性を示す概念図。
【図４】（ａ）は緑色蛍光体を含有する波長変換部材を有する発光部から放射される光の分光放射スペクトルを示す図、（ｂ）は赤色蛍光体を含有する波長変換部材を有する発光部から放射される分光放射スペクトルを示す図。
【図５】実施の形態１の実施例１および２に係る光源ユニットから放射される白色光の分光放射スペクトルを示す図。
【図６】実施の形態１の実施例３および４に係る光源ユニットから放射される白色光の分光放射スペクトルを示す図。
【図７】実施の形態１の実施例１乃至４に係る光源ユニットから放射される白色光の光学特性を説明するための図。
【図８】実施の形態１の各実施例に係る光源ユニットから放射される白色光について、光学特性を評価するための各種指標を列挙した表。
【図９】実施の形態１の各実施例に係る光源ユニットから放射される白色光のＣＩＥ  ｘｙ色度図における色度座標を示す図。
【図１０】実施の形態２に係る照明装置の断面図。
【図１１】実施の形態２に係る照明装置の回路図。
【図１２】変形例に係る光源ユニットの要部分解斜視図。
【図１３】変形例に係る光源ユニットの要部分解斜視図。
【図１４】変形例に係る光源ユニットの要部を示し、（ａ）は分解斜視図、（ｂ）は側面拡大図。
【図１５】変形例に係る光源ユニットから放射される白色光の分光放射スペクトルを示す図。
【図１６】変形例に係る光源ユニットから放射される白色光の光学特性を説明するための図。
【図１７】変形例に係る光源ユニットから放射される白色光の分光放射スペクトルを示す図。
【図１８】変形例に係る光源ユニットから放射される白色光の光学特性を説明するための図。
【図１９】変形例に係る発光モジュールを示し、（ａ）は斜視図、（ｂ）は（ａ）におけるＢ１−Ｂ１断面の矢視図。
【図２０】変形例に係る発光モジュールを示し、（ａ）は斜視図、（ｂ）は（ａ）におけるＢ２−Ｂ２断面の矢視図。
【図２１】（ａ）は変形例に係る各発光モジュールから放射される光の分光放射スペクトルを示す図、（ｂ）は変形例に係る光源ユニットから放射される白色光のＣＩＥ  ｘｙ色度図における色度座標の位置を説明するための図。
【図２２】（ａ）は変形例に係る各発光モジュールから放射される光の分光放射スペクトルを示す図、（ｂ）は変形例に係る光源ユニットから放射される白色光のＣＩＥ  ｘｙ色度図における色度座標の位置を説明するための図。
【図２３】（ａ）は変形例に係る各発光モジュールから放射される光の分光放射スペクトルを示す図、（ｂ）は変形例に係る光源ユニットから放射される白色光のＣＩＥ  ｘｙ色度図における色度座標の位置を説明するための図。
【図２４】変形例に係る光源ユニットの要部分解斜視図。
【図２５】変形例に係る光源ユニットの要部分解斜視図。
【図２６】変形例に係る光源ユニットの要部分解斜視図。
【図２７】変形例に係る光源ユニットの要部分解斜視図。
【図２８】変形例に係る光源ユニットを示し、（ａ）は一部破断した分解斜視図、（ｂ）は要部分解斜視図。
【図２９】変形例に係る光源ユニットの要部分解斜視図。
【図３０】変形例に係る光源ユニットの一部破断した分解斜視図。
【図３１】変形例に係る光源ユニットの要部断面図。
【発明を実施するための形態】
【０００９】
＜実施の形態１＞
＜１＞構成
図１は、本実施の形態に係る光源ユニット１を示し、（ａ）は一部破断した分解斜視図であり、（ｂ）は（ａ）におけるＡ−Ａ断面の矢視図である。
光源ユニット１は、３つの発光モジュール１０，２０，３０と、ヒートシンク４１と、筐体４３と、セード４５とを備える。
【００１０】
本実施の形態に係る光源ユニット１の要部分解斜視図を図２に示す。
発光モジュール１０は、基板１１と、基板１１上に実装された発光部１２とを有する。ここで、発光部１２は、複数（図２では１２個）のＬＥＤ１３と、ＬＥＤ１３を一括して封止する封止部材１５とを有する。
ＬＥＤ１３は、ＧａＮ系材料から形成されたいわゆる青色ＬＥＤであり、そのピーク波長が波長帯域４１０ｎｍ乃至５２０ｎｍの範囲にある分光放射スペクトルを有する。なお、ＬＥＤ１３は、青色ＬＥＤに限定されるものではなく、例えば、放射される光のピーク波長が波長帯域３５０ｎｍ乃至４７０ｎｍの範囲にある分光放射スペクトルを有する、いわゆる近紫外ＬＥＤから構成されるものであってもよい。このＬＥＤ１３は、樹脂材料からなるダイアタッチ材を用いて基板１１に固着されている。この樹脂材料は、透光性を有するものであってもよいし、非透光性のものであってもよい。
【００１１】
封止部材１５は、波長帯域（３５０ｎｍ乃至７８０ｎｍの範囲の波長帯域）全体に亘って透明な樹脂材料やガラス、セラミックス等で形成されている。この樹脂材料としては、例えば、シリコーン樹脂、フッソ樹脂、シリコーン・エポキシのハイブリッド樹脂、ユリア樹脂等を用いることができる。
基板１１は、矩形板状に形成されている。基板１１は、例えばアルミニウム等の金属から形成された板材１１ａと、ポリカーボネート等の絶縁性材料から形成され当該板材１１ａにおけるＬＥＤ１３が実装される面全体を覆う絶縁膜１１ｂとからなる２層構造を有している。なお、基板１１は、樹脂やセラミックス等の絶縁性材料単体からなるものであってもよい。また、基板１１には、複数のＬＥＤ１３に電力を供給するための電極パッド１７が形成されている。
【００１２】
発光モジュール２０は、基板２１と、基板２１上に実装された発光部２２とを有する。ここで、発光部２２は、複数（図２では１２個）のＬＥＤ１３と、ＬＥＤ１３から放射される光の一部の波長を変換する波長変換部材２５とを有する。ここで、発光部２２の一部を構成するＬＥＤ１３は、透光性を有する樹脂材料からなるダイアタッチ材を用いて基板２１に固着されている。
【００１３】
波長変換部材２５は、透光性基材に緑色蛍光体または赤色蛍光体が分散されてなる。ここで、緑色蛍光体を用いた場合は、波長変換部材２５は、４８０ｎｍ乃至６３０ｎｍの波長帯域の光（以下、この波長帯域を「短波長帯域」と称し、この波長帯域の光を「短波長帯域光」と称する。）を放射する。一方、赤色蛍光体を用いた場合は、波長変換部材２５は、５４０ｎｍ乃至７８０ｎｍの波長帯域の光（以下、この波長帯域を「長波長帯域」と称し、この波長帯域の光を「長波長帯域光」と称する。）を放射する。
【００１４】
緑色蛍光体としては、例えば、アルミン酸塩蛍光体、例えば、ＢａＭｇＡｌ10Ｏ17：Ｅｕ2+，Ｍｎ2+、（Ｂａ，Ｓｒ，Ｃａ）Ａｌ2Ｏ4：Ｅｕ2+、珪酸塩（シリケート）蛍光体、例えば、（Ｂａ,Ｓｒ）2ＳｉＯ4：Ｅｕ2+、α-サイアロン蛍光体、例えば、Ｓｒ1.5Ａｌ3Ｓｉ9Ｎ16：Ｅｕ2+、Ｃａ-α-ＳｉＡｌＯＮ：Ｙｂ2+、β-サイアロン蛍光体、例えば、β-Ｓｉ3Ｎ4：Ｅｕ2+、酸窒化物蛍光体、例えば、（Ｂａ，Ｓｒ，Ｃａ）Ｓｉ2Ｏ2Ｎ2：Ｅｕ2+、（Ｂａ，Ｓｒ，Ｃａ）2Ｓｉ4ＡｌＯＮ7：Ｃｅ3+、（Ｂａ，Ｓｒ，Ｃａ）Ａｌ2-xＳｉxＯ4-xＮx：Ｅｕ2+（０＜ｘ＜２）、窒化物蛍光体、例えば、（Ｂａ，Ｓｒ，Ｃａ）2Ｓｉ5Ｎ8：Ｃｅ3+、硫化物蛍光体、例えば、ＳｒＧａ2Ｓ4：Ｅｕ2+、ガーネット蛍光体、例えば、Ｃa3Ｓｃ2Ｓｉ3Ｏ12：Ｃｅ3+、ＢaＹ2ＳｉＡｌ4Ｏ12：Ｃｅ3+、Ｌｕ3（Ａｌ，Ｇａ）5Ｏ12：Ｃｅ3+、ＹＡＧ蛍光体、例えば、Ｙ3（Ａｌ，Ｇａ）5Ｏ12：Ｃｅ3+、ＴＡＧ蛍光体、例えば、Ｔｂ3（Ａｌ，Ｇａ）5Ｏ12：Ｃｅ3+、酸化物蛍光体、例えば、ＣａＳｃ2Ｏ4：Ｃｅ3+を用いてもよい。
【００１５】
また、赤色蛍光体としては、例えば、硫化物蛍光体、例えば、（Ｓｒ，Ｃａ）Ｓ：Ｅｕ2+、Ｌａ２Ｏ２Ｓ：Ｅｕ3+（Ｓｍ3+）、珪酸塩（シリケート）蛍光体、例えば、Ｂａ3ＭｇＳｉ2Ｏ8：Ｅｕ2+（Ｍｎ2+）、窒化物（酸窒化物）蛍光体、例えば、（Ｃａ，Ｓｒ）ＳｉＮ2：Ｅｕ2+、（Ｃａ，Ｓｒ）ＡｌＳｉＮ3：Ｅｕ2+、Ｓｒ2Ｓｉ5-xＡｌxＯxＮ8-x：Ｅｕ2+（０≦ｘ≦１）を用いてもよい。
【００１６】
基板２１は、矩形板状に形成されている。基板２１は、可視光波長帯域（４００ｎｍ乃至７８０ｎｍの範囲の波長帯域）全体に亘って透明な樹脂材料やガラス、セラミックス等で形成されている。この樹脂材料としては、例えば、ポリエチレンテレフタレートやポリカーボネート、環状オレフィン樹脂等を用いることができる。
発光モジュール３０は、基板３１と、基板２１上に実装された発光部３２とを備える。ここで、発光部３２は、複数（図２では１２個）のＬＥＤ１３と、ＬＥＤ１３から放射される光の一部の波長を変換する波長変換部材３５とを有する。ここで、発光部３２の一部を構成するＬＥＤ１３は、透光性を有する樹脂材料からなるダイアタッチ材を用いて基板３１に固着されている。
【００１７】
波長変換部材３５は、透光性基材に赤色蛍光体または緑色蛍光体が分散されてなる。ここで、波長変換部材３５に用いられる蛍光体の種類は、波長変換部材２５に用いられる蛍光体の種類によって異なる。波長変換部材２５に用いられる蛍光体が赤色蛍光体であれば、波長変換部材３５に用いられる蛍光体には緑色蛍光体が採用される。一方、波長変換部材２５に用いられる蛍光体が緑色蛍光体であれば、波長変換部材３５に用いられる蛍光体には赤色蛍光体が採用される。なお、赤色蛍光体および緑色蛍光体の材料は、前述と同様である。
【００１８】
基板３１は、矩形板状に形成されており、基板２１と同様に透明な材料から形成されている。
ところで、基板２１は、その発光部２２側とは反対側の面が基板１１における発光部１２側の面に対向した状態で配されている。そして、発光部２２の主光出射方向は、発光部１２の主光出射方向と一致している。また、基板３１は、その発光部３２側とは反対側の面が基板２１における発光部２２側の面に対向した状態で配されている。そして、発光部２２の主光放射方向は、発光部３２の主光放射方向と一致している。即ち、発光部１２，２２，３２の主光放射方向は互いに一致している。また、発光部１２，２２の主光放射方向から見たときに、発光部２２が発光部１２に重なっており、発光部３２が発光部３２に重なっている。つまり、発光部１２，２２，３２が重なる方向を上下方向とすると、最も下側に発光部１２が配置され、発光部１２の上に発光部２２が重なるように配置され、最も上側に発光部３２が配置されている。
【００１９】
ここにおいて、発光部１２，２２，３２それぞれのＬＥＤ１３から放射された青色光のうち、波長変換部材２５，３５で変換された光と波長変換部材２５，３５で変換されなかった光とが混合されることにより白色光が得られる。
図１に示すように、ヒートシンク４１は、矩形板状に形成されている。ヒートシンク４１は、アルミニウム等の金属材料やセラミックス、熱伝導性樹脂等の熱伝導率の高い材料から形成されている。このヒートシンク４１の上面には、発光モジュール１０の基板１１が面接触した状態で配置されている。これにより、ヒートシンク４１と発光モジュール１０とが熱的に結合している。
【００２０】
筐体４３は、対向配置された２組の側壁４３ａ，４３ｂからなる略矩形枠状であり、ヒートシンク４１の上面に固着されている。また、１組の側壁４３ａそれぞれには、互いに近づく方向に突出し且つヒートシンク４１の上面に平行に延長された３対のリブ４３ｃａ，４３ｃｂ，４３ｄａ，４３ｄｂ，４３ｅａ，４３ｅｂが設けられている。また、各リブ４３ｃａ，４３ｃｂ，４３ｄａ，４３ｄｂ，４３ｅａ，４３ｅｂにおける下面側には、弾性を有する金属材料からなる導電部材５１ａ，５３ａ，５１ｂ，５３ｂ，５１ｃ，５３ｃが配置されている。また、１組の側壁４３ａの一方には、側壁４３ａを厚み方向に貫通する６つの貫通孔４３ｆ（図１（ａ）では３つだけ図示している。）が形成されており、各貫通孔４３ｆに被覆導線４７ａ，４７ｂ，４７ｃ，４９ａ，４９ｂ，４９ｃが挿通されている。そして、各被覆導線４７ａ，４７ｂ，４７ｃ，４９ａ，４９ｂ，４９ｃの先端部における被覆が剥離された部位が、各導電部材５１ａ，５３ａ，５１ｂ，５３ｂ，５１ｃ，５３ｃに接触している（図１（ｂ）参照）。また、被覆導線４７ａ，４７ｂ，４７ｃ，４９ａ，４９ｂ，４９ｃは、一束に纏められて１つの電源線６３を構成している。そして、電源線６３の導電部材５１ａ，５３ａ，５１ｂ，５３ｂ，５１ｃ，５３ｃ側とは反対側の端部には、コネクタ６１が取付けられている。電源線６３は、コネクタ６１を介して電源装置（図示せず）に電気的に接続される。
【００２１】
発光モジュール１０の基板１１は、ヒートシンク４１の上面に載置された状態で、ヒートシンク４１の上面と一対のリブ４３ｃａ，４３ｃｂとの間に配置されている。ここで、導電部材５１ａ，５３ａが、基板１１上の電極パッド１７に弾接している。これにより、基板１１は、ヒートシンク４１と導電部材５１ａ，５３ａとにより挟持固定されている。
発光モジュール２０（３０）の基板２１（３１）は、その両端部がリブ４３ｃａ，４３ｃｂ（４３ｄａ，４３ｄｂ）の上面で支持された状態で、リブ４３ｃａ，４３ｃｂ（４３ｄａ，４３ｄｂ）とリブ４３ｄａ，４３ｄｂ（４３ｅａ，４３ｅｂ）との間に配置されている。ここで、導電部材５１ｂ，５３ｂ（５１ｃ，５３ｃ）が、基板２１（３１）上の電極パッド２７（３７）に弾接している。これにより、基板２１（３１）は、リブ４３ｃａ，４３ｃｂ（４３ｄａ，４３ｄｂ）と導電部材５１ｂ，５３ｂ（５１ｃ,５３ｃ）とにより挟持固定されている。
【００２２】
セード４５は、透光性材料から矩形板状に形成されている。このセード４５は、光を散乱する透光性材料から形成されている。この光を散乱する透光性材料としては、例えば、ポリカーボネート等の樹脂材料、ガラス、セラミック等の透光性材料で形成された基体部分に、チタニア、シリカ、アルミナ、酸化亜鉛等の透光性材料で形成された粒子部分が分散されてなるものがある。
【００２３】
＜２＞光源ユニット１から放射される光の色斑について
次に、本実施の形態に係る光源ユニット１から放射される光の輝度斑について比較例を比べながら説明する。
図３は、光源ユニットから当該光源ユニットの主光放射方向に沿って離間した位置に配置されたスクリーン（被照明物体）Ｓ上において、（ａ）は本実施の形態に係る光源ユニット１の配光特性を示す概念図であり、（ｂ）は比較例に係る光源ユニットの配光特性を示す概念図である。ここで、スクリーンＳ１は、光源ユニットから距離Ｌ１だけ離間した位置に配置され、スクリーンＳ２は、光源ユニットから距離Ｌ１よりも短い距離Ｌ２だけ離間した位置に配置されている。図３（ａ）および（ｂ）中における、Ｓ１０，Ｓ２０，Ｓ３０で示す領域は、各発光部１０，２０，３０から放射される光のうち、同一スクリーン内における、その強度が最大強度の１／２以上となる光が照射される領域（以下、「照射領域」と称する。）を示す。
【００２４】
本実施の形態に係る光源ユニット１では、発光部１２、２２、３２それぞれの主光放射方向Ｊ１，Ｊ２，Ｊ３が互いに一致している。そして、発光部１２の主光放射方向Ｊ１から見たときに、発光部２２が発光部１２に重なっており、発光部２２の主光放射方向Ｊ２から見たときに、発光部３２が発光部２２に重なっている。一方、比較例に係る光源ユニットでは、３つの発光モジュール１０，２０，３０が同一の平面Ｈ内に並列している。
【００２５】
図３（ｂ）に示すように、比較例に係る光源ユニットでは、光源ユニットから距離Ｌ１だけ離間した位置（比較的遠い位置）に配置されたスクリーンＳ２上では、各発光部１２，２２，３２の照射領域Ｓ１０，Ｓ２０，Ｓ３０が重なっている（図３（ｂ）の二点鎖線参照）。一方、光源ユニットから距離Ｌ２だけ離間した位置（比較的近い位置）に配置されたスクリーンＳ１上では、各発光部１２，２２，３２の照射領域Ｓ１０，Ｓ２０，Ｓ３０が重ならなくなり、スクリーンＳ１上の光の色斑が顕著になる。ここで、照射領域Ｓ１０，Ｓ２０，Ｓ３０が重なる距離と照射領域Ｓ１０，Ｓ２０，Ｓ３０重ならない距離との境界は、各発光部１２，２２，３２の配光特性で定まっている。
【００２６】
一方、図３（ａ）に示すように、本実施の形態に係る光源ユニット１では、スクリーンＳ１，Ｓ２のいずれにおいても各発光部１２，２２，３２の照射領域Ｓ１０，Ｓ２０，Ｓ３０の一部が重なる。従って、光源ユニット１では、スクリーンＳ１，Ｓ２が光源ユニット１から主光放射方向Ｊ１，Ｊ２，Ｊ３側に配置されている限り、光源ユニット１とスクリーンＳ１，Ｓ２との間の距離Ｌ１，Ｌ２に関わらず、スクリーンＳ１，Ｓ２が配置された場所で発光部１２，２２，３２の照射領域の一部を重ねることができる。従って、スクリーンＳ１，Ｓ２が配置されたいずれの場所においても発光部１２，２２，３２それぞれから放射された光の照射領域が重ならないことに起因した色斑の発生を抑制できる。
【００２７】
＜３＞光源ユニットの分光学的特性について
次に、本実施の形態に係る光源ユニット１の分光学的特性について説明する。ここでは、４つの実施例（第１乃至第４実施例）に係る光源ユニット（以下、実施例１乃至４に係る光源ユニットを「光源ユニット１Ａ乃至１Ｄ」と称する。）について説明する。
各実施例に係る光源ユニット１Ａ乃至１Ｄは、青色光を放射する発光モジュールと、緑色蛍光体を含有する波長変換部材を備えた発光モジュールと、赤色蛍光体を含有する波長変換部材を備えた発光モジュールとを組み合わせて構成されている。ここで、緑色蛍光体として、ガーネット蛍光体（Ｃa3Ｓｃ2Ｓｉ3Ｏ12：Ｃｅ3+）が用いられ、赤色蛍光体として、酸窒化物蛍光体（（Ｃａ，Ｓｒ）ＡｌＳｉＮ3：Ｅｕ2+）が用いられている。
【００２８】
実施例１および２係る光源ユニット１Ａおよび１Ｂは、発光モジュール２０として緑色蛍光体を含有する波長変換部材を有する発光モジュールを採用し、発光モジュール３０として赤色蛍光体を含有する波長変換部材を有する発光モジュールを採用した構成である。そして、発光モジュール１０への投入電流に対する発光モジュール２０，３０への投入電流の割合は、光源ユニット１Ｂに比べて光源ユニット１Ａのほうが大きくなっている。
【００２９】
一方、実施例３および４に係る光源ユニット１Ｃおよび１Ｄは、発光モジュール２０として赤色蛍光体を含有する波長変換部材を有する発光モジュールを採用し、発光モジュール３０として緑色蛍光体を含有する波長変換部材を有する発光モジュールを採用した構成である。つまり、光源ユニット１Ｃおよび１Ｄは、光源ユニット１Ａおよび１Ｂに対して、赤色蛍光体を含有する波長変換部材を備えた発光モジュールと、緑色蛍光体を含有する波長変換部材を備えた発光モジュールの配置が入れ替わっている。そして、発光モジュール１０への投入電流に対する発光モジュール２０，３０への投入電流の割合は、光源ユニット１Ｃに比べて光源ユニット１Ｄのほうが大きくなっている。
【００３０】
緑色蛍光体を含有する波長変換部材を備えた発光モジュールから放射される光（短波長帯域光）の分光放射スペクトルを図４（ａ）に示す。また、赤色蛍光体を含有する波長変換部材を備えた発光モジュールから放射される光（長波長帯域光）の分光放射スペクトルを図４（ｂ）に示す。
図４（ａ）に示すように、短波長帯域光は、少なくとも４８０ｎｍ乃至６３０ｎｍの範囲内の短波長側帯域で分光放射強度が最大値となるような分光放射スペクトルを有する。また、図４（ｂ）に示すように、長波長帯域光は、５４０ｎｍ乃至７８０ｎｍの範囲内の長波長側帯域で分光放射強度が最大値となるような分光放射スペクトルを有する。
【００３１】
実施例１および２に係る光源ユニット１Ａおよび１Ｂから放射される白色光の分光放射スペクトルを図５に示し、実施例３および４に係る光源ユニット１Ｃおよび１Ｄから放射される白色光の分光放射スペクトルを図６に示す。なお、図５および図６に示す各分光放射スペクトルは、その強度の最大値で規格化されたものである。
図５に示すように、光源ユニット１Ａおよび１Ｂから放射される白色光の分光放射スペクトルは、概して５００ｎｍ乃至５２０ｎｍの波長帯域が窪んでおり、５５０ｎｍ乃至５７０ｎｍの波長帯域にピークが生じている。一方、図６に示すように、光源ユニット１Ｃおよび１Ｄから放射される白色光の分光放射スペクトルは、概して５００ｎｍ乃至５２０ｎｍの波長帯域にピークが生じており、このピークは短波長帯域光の分光放射スペクトルのピークと略一致している。
【００３２】
結局、光源ユニット１Ａおよび１Ｂと光源ユニット１Ｃおよび１Ｄとでは、緑色蛍光体を含有する波長変換部材を備えた発光モジュールと、赤色蛍光体を含有する波長変換部材を備えた発光モジュールとの重なり順序が異なる。そして、このように、各発光モジュールの順序を変えるたけで、光源ユニットから放射される白色光とで分光放射スペクトルの形状が変わる。以下、この理由についての考察を述べる。
【００３３】
図７に、光源ユニット１Ａおよび１Ｂから放射される白色光の光学特性を説明するための模式図を示す。図７において、実線は光源ユニット１Ａおよび１Ｂから放射される白色光の分光放射スペクトルを示し、一点鎖線は短波長帯域光（図７中の破線参照）と長波長帯域光（図７中の点線参照）とを足し合わせた形状を示している。
光源ユニット１Ａおよび１Ｂでは、発光部２２から放射された短波長帯域光が、波長変換部材３５に含有された赤色蛍光体による吸収損失を受ける（図７中のクロスハッチで示した領域参照）。これにより、光源ユニット１Ａおよび１Ｂから放射される白色光の分光放射スペクトルは、５００ｎｍ乃至５２０ｎｍの波長帯域が窪んだ状態となっている。また、波長変換部材３５に含有された赤色蛍光体に吸収される光は、当該赤色蛍光体の励起光として機能するため、発光部３２から放射される長波長帯域光が増加する（図７中の格子模様の領域）。これにより、光源ユニット１Ａおよび１Ｂから放射される白色光の分光放射スペクトルは、５５０ｎｍ乃至５７０ｎｍの波長帯域にピークがある形状となる。
【００３４】
一方、光源ユニット１Ｃおよび１Ｄでは、発光部２２から放射された長波長帯域光は、波長変換部材３５に含有された緑色蛍光体に吸収されない。これにより、光源ユニット１Ｇ乃至１Ｌから放射される白色光の分光放射スペクトルでは、発光部３２から放射される短波長帯域光の分光放射スペクトルのピークをそのまま反映した形状となっている。
また、光源ユニット１Ａおよび１Ｂは、光源ユニット１Ｃおよび１Ｄに比べて、放射される白色光の光量が低い。これは、光源ユニット１Ａおよび１Ｂでは、赤色蛍光体に吸収された短波長帯域光の一部が熱に変換されて波長変換部材３５内に放出されることに起因している。
【００３５】
従って、光源ユニット１Ａおよび１Ｂの、単位投入電力当たりの光量（以下、「パワー効率」と称する。）は、光源ユニット１Ｃおよび１Ｄのパワー効率に比べて小さくなり易い。
次に、各実施例について、演色性および彩度を評価した結果について説明する。
図８は、光源ユニット１Ａ乃至１Ｄそれぞれから放射される白色光の光学特性を評価するための各種指標を列挙した表である。各種指標としては、白色光の色温度Ｔｃ、色座標（ｘ，ｙ，ｕ，ｖ）、演色評価数Ｒ１乃至Ｒ８、特殊演色評価数Ｒ９乃至Ｒ１５、平均演色評価数Ｒａ（１〜８）、色域面積比Ｇａ，Ｇａ４、目立ち指数ＦＣＩを採用した。
【００３６】
ここで、各種指標の特徴について説明する。
演色評価数Ｒ１乃至Ｒ８および平均演色評価数Ｒａは、ＪＩＳ  Ｚ８７２６に規定された試験色番号１乃至８の試験色（中彩度の試験色）に基づいて算出されるものである。演色評価数Ｒ１からＲ８は、いわゆる中彩度の照明対象物の色の見え方の忠実性を評価する場合に選定されるものである。
【００３７】
特殊演色評価数Ｒ９乃至Ｒ１２は、ＪＩＳ  Ｚ８７２６に規定された試験色番号９乃至１２の試験色（高彩度の試験色。具体的には、鮮やかな赤色、黄色、緑色、青色）に基づいて算出されるものである。この特殊演色評価数Ｒ９乃至Ｒ１２は、色鮮やかな照明対象物の色の見えの忠実性を評価する場合に選定されるものである。また、特殊演色評価数Ｒ１３，Ｒ１４，Ｒ１５は、ＪＩＳ  Ｚ８７２６に規定された試験色番号１３，１４，１５の試験色（西洋人の肌の色、木の葉の色、日本人の肌の色）に基づいて算出されるものである。この特殊演色評価数Ｒ１３，Ｒ１４，Ｒ１５は、一般的な西洋人の肌の色や木の葉の色、日本人の肌の色の見えを評価する場合に選定されるものである。
【００３８】
これら演色評価数Ｒ１乃至Ｒ１５並びに平均演色評価数Ｒａが大きいほど演色性が高いことになる。
色域面積比Ｇａは、ＪＩＳ  Ｚ８７２６の参考欄に「演色評価数による以外の演色性の評価方法」として記載されたものである。具体的には、試験色番号１乃至８の８つの試験色に対して基準光による色度座標と、光源ユニット１Ａ乃至１Ｈから放射される白色光による色度座標とを求め、これらをＵ*Ｖ*平面上にプロットして得られる８角形の面積を求める。そして、光源ユニット１Ａ乃至１Ｈから放射される白色光に対応する８角形の面積と、基準光に対応する８角形の面積との比を１００倍して得られる値が、色域面積比Ｇａである。この色域面積比Ｇａが小さいときには、彩度が減じる方向にあり、色がくすんで見える傾向にある。一方、色面積比Ｇａが１００に近づくほど、彩度が増加する方向にあり、色が鮮やかに見える傾向にある。
【００３９】
目立ち指数ＦＣＩは、照明対象物の色の目立ち感を評価する指標である（特開平６−１８０２４８号公報参照）。この目立ち指数ＦＣＩは、前述の特殊演色評価数を算出する際に用いられる試験色番号Ｎｏ．９乃至１２の試験色それぞれに近似した４色から構成された４色配色サンプルに基づいて算出される。この４色配色サンプルの色域面積と目立ち指数ＦＣＩとの間には式（１）で表される関係式が成立する。
【００４０】
【数１】
2014135150.tif 000003
ここで、Ｇ（Ｓ，１０００（ｌｘ））は、目立ち指数ＦＣＩの評価対象である光源により４色配色サンプルを照度１０００（ｌｘ）で照明した場合の４色配色サンプルの色域面積を示し、Ｇ（Ｄ６５，１０００（ｌｘ））は、基準光源により４色配色サンプルを照度１０００（ｌｘ）で照明した場合の４色配色サンプルの色域面積を示す。この目立ち指数ＦＣＩが高い光源ほど、生花や木の葉の緑などの照明対象物の色を目立たせることができる。
【００４１】
色域面積比Ｇａ４は、試験色番号９乃至１２に対応する特殊演色評価数Ｒ９乃至Ｒ１２を用いて算出された色域面積比である。具体的には、特殊演色評価数Ｒ９乃至Ｒ１２を用いて、前述の色面積比Ｇａの算出に用いた計算手法と同じ計算手法で得られる。この色域面積比Ｇａ４を指標とすることにより鮮やかに見せたい照明対象物が鮮やかに見えているかということを正確に評価することができる。
【００４２】
以上をまとめると、演色評価数Ｒ１乃至Ｒ８、特殊演色評価数Ｒ９乃至Ｒ１５、平均演色評価数Ｒａが、光の演色性を評価する指標であり、色域面積比Ｇａ，Ｇａ４、目立ち指数ＦＣＩが、彩度を評価する指標であると言える。これを踏まえて、光源ユニット１Ａ乃至１Ｈから放射される白色光の光学特性について説明する。
図８の表に示すように、実施例１乃至４に係る光源ユニット１Ａ乃至１Ｄは、長波長帯域光を放射する発光モジュールへの投入電流が大きいものほど、色温度Ｔｃが低くなっている。
【００４３】
また、光源ユニット１Ａおよび１Ｂから放射される白色光は、光源ユニット１Ｃおよび１Ｄから放射される白色光に比べて、Ｒ１乃至Ｒ１５、Ｒａ（１〜８）の値が概ね大きくなっているが、Ｇａ、ＦＣＩ、Ｇａ４が概ね小さい。前述のように、Ｒ１乃至Ｒ１５、Ｒａ（１〜８）が小さいほど演色性が高く、Ｇａ、ＦＣＩ、Ｇａ４が大きいほど採度が高い。つまり、光源ユニット１Ａおよび１Ｂから放射される白色光は、光源ユニット１Ｃおよび１Ｄから放射される白色光に比べて演色性が高く且つ彩度が低い。
【００４４】
本実施の形態に係る光源ユニット１では、緑色蛍光体を含有する波長変換部材を備えた発光モジュールと、赤色蛍光体を含有する波長変換部材を備えた発光モジュールの配置を入れ替えるだけで、光源ユニット１から放射される白色光の演色性や彩度を変更することができる。
次に、ＣＩＥ  ｘｙ色度図において、各光源ユニット１Ａ乃至１Ｄから放射される白色光の色度座標と黒体軌跡との位置関係について説明する。
【００４５】
図９に、各光源ユニット１Ａ乃至１Ｄから放射される白色光のＣＩＥ  ｘｙ色度図における色度座標を示す。図９において、実線Ｌｉ０は黒体軌跡を示し、一点鎖線Ｌｉ１は黒体軌跡との偏差が±０．００３ｕｖの曲線を示し、破線Ｌｉ２は黒体軌跡との偏差が±０．００５ｕｖの曲線を示す。
各光源ユニット１Ａ乃至１Ｄから放射される白色光の色度座標は、全て±０．００３ｕｖの曲線の内側に位置しており、当該白色光が高い演色性を示すことが判る。
【００４６】
つまり、本実施の形態に係る光源ユニット１では、ＣＩＥ  ｘｙ色度図において、黒体軌跡との偏差が高々略±０．００３ｕｖの範囲内に収まる程度の高い演色性を示す白色光を得ることができる。
＜４＞まとめ
結局、本実施の形態に係る光源ユニット１では、発光部１２の主光放射方向から見たときに、発光部２２が発光部１２に重なっており、発光部２２は透明な基板２１上に実装されている。また、発光部２２の主光放射方向から見たときに、発光部３２が発光部２２に重なっており、発光部３２は透明な基板３１上に実装されている。ここにおいて、発光部１２から放射された光が基板２１および発光部２２を透過して発光部２２における発光部１２側とは反対側に導かれるとともに、発光部２２から放射された光が基板３１および発光部３２を透過して発光部３２における発光部２２側とは反対側に導かれる。これにより、発光部１２，２２，３２それぞれの照射領域が、光源ユニットと被照明物体との間の距離に関わらず必ず重なることになる。つまり、光源ユニット１と被照明物体との間の距離に関わらず、被照明物体が配置された場所で発光部１２，２２，３２の照射領域の一部を重ねることができる。従って、被照明物体が配置された場所において、発光部１２，２２，３２それぞれから放射された光の照射領域が重ならないことに起因した光の色斑の発生を抑制できる。
【００４７】
また、本実施の形態に係る光源ユニット１では、緑色蛍光体を含有する波長変換部材を備えた発光モジュールと、赤色蛍光体を含有する波長変換部材を備えた発光モジュールの配置を入れ替えるだけで、光源ユニット１から放射される白色光の演色性や彩度を変更することができる。
更に、本実施の形態に係る光源ユニット１では、波長変換部材に含有させる緑色蛍光体および赤色蛍光体の量を適宜設定することにより、ＣＩＥ  ｘｙ色度図において、黒体軌跡との偏差が高々略±０．００５ｕｖの範囲内に収まる程度の高い演色性を示す白色光を得ることができる。
【００４８】
なお、実施例１および２の光源ユニット１Ａおよび１Ｂにおいて、発光部１２，２２のＬＥＤ１３を青色ＬＥＤとし、発光部３２のＬＥＤ１３を近紫外ＬＥＤとし、波長変換部材３５を短波長帯域光は吸収しない赤色蛍光体を含有したものとしてもよい。このような赤色蛍光体としては、近紫外ＬＥＤから放射される光の短波長側の一部の波長帯域の光は吸収するが、青色ＬＥＤから放射される光や短波長帯域光は吸収しないものがある。
【００４９】
この場合、発光部２２から放射された短波長帯域光が波長変換部材３５に吸収されないので、パワー効率向上を図ることができる。また、短波長帯域光が波長変換部材３５に含有される蛍光体を励起することに起因して発生する長波長帯域光を考慮する必要がないため、調色制御の容易化を図ることができる。また、近紫外ＬＥＤから放射される光の波長帯域の分光放射強度も変更することができるので、分光放射強度を調節できる波長帯域の幅が広がる。
【００５０】
更に、赤色蛍光体として、３価のユーロピウムを用いた酸化物蛍光体（例えば、Ｙ2Ｏ2Ｓ：Ｅｕ3+、Ｙ2Ｏ3：Ｅｕ3+やＬａ2Ｏ2Ｓ：Ｅｕ3+等）を用いれば、発光部から放射される光の分光放射スペクトルの形状を比較的シャープなものとすることができる。このため、光源ユニット１から放射される白色光の分光分布の設計自由度の拡大を図ることができる。
【００５１】
また、実施例１および２の光源ユニット１Ａおよび１Ｂにおいて、発光部１２，３２のＬＥＤ１３を青色ＬＥＤとし、発光部２２のＬＥＤ１３を近紫外ＬＥＤとし、波長変換部材２５を青色光よりも短波長の紫外光でのみ励起される緑色蛍光体を含有したものとしてもよい。このような緑色蛍光体の中には、当該緑色蛍光体から放射される光の分光放射スペクトルがシャープなピークを持つ形状であるものがある。この緑色蛍光体を採用すれば、発光部２２から放射される光の分光放射スペクトルの短波長側の裾部分をピーク波長側（長波長側）にシフトさせることができる。これにより、発光部２２から放射される光の波長帯域が、波長変換部材３５による主たる吸収波長帯域（上記ピーク波長よりも短波長側の波長帯域に存在する）に干渉しないようにすることができる。この場合、発光部２２から放射された光の波長変換部材３５に吸収される割合を減らすことができるので、パワー効率向上および調色制御の容易化を図ることができる。
【００５２】
＜実施の形態２＞
本実施の形態に係る照明装置２０１の断面図を図１０に示す。
照明装置２０１は、天井Ｃに埋め込むようにして取り付けられるダウンライトであって、器具２０３と、電源装置２０４と、コントローラ２０５と、実施の形態１で説明した光源ユニット１とを備える。
【００５３】
器具２０３は、光源収納部２０３ａと、電源収納部２０３ｂと、外鍔部２０３ｃとを有する。器具２０３は、例えば、アルミダイキャスト等の金属材料から形成されている。光源収納部２０３ａは、有底円筒状であって、内部に光源ユニット１が着脱自在に取り付けられる。電源収納部２０３ｂは、光源収納部２０３ａの底側に延設されており、内部に電源装置２０４が収納されている。外鍔部２０３ｃは、円環状であって、光源収納部２０３ａの開口部から外方へ向けて延設されている。器具２０３は、光源収納部２０３ａおよび電源収納部２０３ｂが天井Ｃに貫設された埋込穴Ｃ１に埋め込まれ、外鍔部２０３ｃが天井Ｃの下面Ｃ２における埋込穴Ｃ１の周部に当接された状態で、例えば取付螺子（不図示）によって天井Ｃに取り付けられる。
【００５４】
電源装置２０４は、電源回路２０４ａと、光量比率制御回路２０４ｂとを備える。ここで、電源回路２０４ａは、光源ユニット１に内蔵された発光モジュール１０，２０，３０それぞれに各別に電力供給を行う。光量比率制御回路２０４ｂは、発光モジュール１０，２０，３０の発光部１２，２２，３２から放射される白色光の光量の比率を変化させる。また、電源装置２０４は、光源ユニット１と電気的に接続される電源線２０４ｃを有し、当該電源線２０４ｃの先端には光源ユニット１のコネクタ６１に接続されるコネクタ２０４ｄが取り付けられている。そして、電源回路２０４ａは、電源線２０４ｃおよびコネクタ６１，２０４ｄを介して発光モジュール１０，２０，３０それぞれに電力供給を行う。
【００５５】
また、電源装置２０４には、ユーザが、発光部１２，２２，３２から放射される白色光の光量の比率を変化させる際に操作するコントローラ２０５が信号線２０５ａを介して接続されている。そして、光量比率制御回路２０４ｂは、コントローラ２０５から信号線２０５ａを介して入力される信号電圧に基づいて、電源回路２０４ａから発光部２０１２Ａに供給する電流の大きさと、電源回路５０４ａから発光モジュール１０，２０，３０に供給する電流の大きさの比率を変化させる。これにより、発光部１２，２２，３２から放射される白色光の光量比率が変化する。
【００５６】
本実施の形態に係る照明装置の回路図を図１１に示す。
発光モジュール１０，２０，３０それぞれは、互いに直並列に接続された複数のＬＥＤ１３を有する。
電源装置２０４は、電源回路２０４ａと、光量比率制御回路２０４ｂとを備える。
電源回路２０４ａは、発光モジュール１０，２０，３０それぞれに各別に電流供給を行う。この電源回路２０４ａは、整流回路２０４ａａと、３つの定電流回路２０４ａｂ，２０４ａｃ，２０４ａｄとを備える。
【００５７】
整流回路２０４ａａは、外部電源ＡＣから供給される交流を整流して直流に変換する。整流回路２０４ａａは、例えば、ダイオードブリッジから構成されるものであってもよい。
定電流回路２０４ａｂ，２０４ａｃ，２０４ａｄは、整流回路２０４ａａからの電力供給を受けて発光モジュール１０，２０，３０それぞれに一定の電流を供給する。この定電流回路２０４ａｂ，２０４ａｃ，２０４ａｄは、周知の降圧チョッパ回路や昇降圧回路等を用いて構成されており定電流制御がなされる。
【００５８】
また、光量比率制御回路２０４ｂは、コントローラ２０５から入力される信号電圧に基づいて、電源回路２０４から発光モジュール１０，２０，３０に供給する電流の大きさの比率を変化させる。これにより発光モジュール１０，２０，３０の発光部１２，２２，３２から放射される白色光の光量比率が変化する。具体的には、光量比率制御回路２０４ｂは、各定電流回路２０４ａｂ，２０４ａｃ，２０４ａｄに入力するＰＷＭ信号のオンデューティを個別に変化させることにより、各定電流回路２０４ａｂ，２０４ａｃ，２０４ａｄから発光モジュール１０，２０，３０に供給する電流の大きさを変化させる。
【００５９】
このように、各発光部１２，２２，３２から放射される白色光の光量比率を変化させることにより、光源ユニット１から放射される白色光の色温度を変化させることができる。
＜変形例＞
（１）実施の形態１では、発光部２２の主光放射方向側から見たときに、発光部３２の全部が発光部２２に重なっている例について説明したが、必ずしも全部重なっている必要はなく、一部のみが重なっている構成でもよい。
【００６０】
本変形例に係る光源ユニットの要部分解斜視図を図１２に示す。なお、図１２において実施の形態１と同様の構成については同一の符号を付して適宜説明を省略する。
発光モジュール３０は、円環状の発光部２３２を有する。この発光部２３２は、基板３１上に円環状に実装された複数（図１２では１２個）のＬＥＤ１３と、当該ＬＥＤ１３を一括して封止する形で配設された円環状の波長変換部材２３５とを備える。
【００６１】
一方、発光モジュール２０は、平面視円形状の発光部２２２を有する。この発光部２２２は、基板２１上に実装された複数（図１２では１２個）のＬＥＤ１３と、当該ＬＥＤ１３を一括して封止する形で配設された平面視円形状の波長変換部材２２５とを備える。
ここにおいて、発光部２２２の主光放射方向側から見たときに、発光部２３２の内側の周縁部が発光部２２２の周部に重なっている。
【００６２】
本構成によれば、特に、波長変換部材２２５が緑色蛍光体を含有し、波長変換部材２３５が赤色蛍光体を含有する構成において、発光部２２２から放射された白色光のうち波長変換部材２３５で吸収される成分を低減することができる。従って、光源ユニットのパワー効率の向上を図ることができる。
（２）実施の形態１では、発光部１２，２２，３２がそれぞれ平面視円形である例について説明したが、発光部１２，２２，３２の形状はこれに限定されるものではない。
【００６３】
本変形例に係る光源ユニットの要部分解斜視図を図１３に示す。なお、図１３において、電極パッド等の図示は省略している。また、実施の形態１と同様の構成については同一の符号を付して適宜説明を省略する。
発光モジュール３１０，３２０，３３０は、それぞれ長尺の複数の発光部３１２，３２２，３３２を備える。ここで、発光部３１２，３２２，３３２は、長手方向に直交する方向に互いに隣接した状態で並列している。
【００６４】
発光部３１２は、一列に実装された複数のＬＥＤと、当該ＬＥＤを一括して封止する透明な封止部材から構成されている。また、発光部３２２，３３２は、一列に実装された複数のＬＥＤと、当該複数のＬＥＤを一括して封止する形で配設された波長変換部材とから構成されている。なお、ＬＥＤ、封止部材および波長変換部材としては、実施の形態１と同様の材料および構造であるので詳細な説明は省略する。
【００６５】
本構成によれば、波長変換部材における外部に露出した部分の面積を大きくすることができるので、波長変換部材の放熱性を向上させることができる。従って、波長変換部材の温度上昇を抑制することができ、それに伴い、波長変換部材に含有される蛍光体の量子効率の低下を抑制することができる。
また、図１３に示す構成では、発光部３２２の主光放射方向側から見たときに、発光部３３２の全部が発光部３２２に重なっているが、必ずしも全部重なっている必要はなく、一部のみが重なっている構成でもよい。
【００６６】
他の変形例に係る光源ユニットの要部分解斜視図を図１４（ａ）に示し、図１４（ａ）における矢印の方向から見たときの要部側面図を図１４（ｂ）に示す。なお、図１３に示す構成と同様の構成については同一の符号を付して適宜説明を省略する。
発光部４１２の主光放射方向から見たときに、発光部４２２の略半分が発光部４１２に重なっている。また、発光部４３２の略半分が発光部４１２に重なっている。そして、発光部４２２と発光部４３２とは重なっていない。
【００６７】
本構成によれば、特に、発光部４２２が緑色蛍光体を含有する波長変換部材を備え、発光部４３２が赤色蛍光体を含有する波長変換部材を備える構成において、発光部４２２から放射された光のうち発光部４３２が備える波長変換部材での光吸収損失を低減することができる。従って、光源ユニットのパワー効率の向上を図ることができる。
ここにおいて、発光部４１２が、ＬＥＤを封止部材で封止してなるものであり、発光部４２２が、緑色蛍光体を含有する波長変換部材を有し、発光部４３２が、赤色蛍光体を含有する波長変換部材を有する構成としてもよい。
【００６８】
図１５および図１７に、発光部４１２の主光出射方向から見たときの発光部４２２,４３２の重なり率を変更したときの光源ユニットから放射される光の分光放射スペクトルを示し、図１６および図１８に、上記重なり率を変更したときに光源ユニットから放射される光の光学特性を評価するための各種指標を列挙した表を示す。ここで、「重なり率」とは、発光部４１２の主光出射方向から見たときの発光部４２２,４３２における互いに重なった部分の割合に相当する。なお、図１５および図１６と図１７および図１８とでは、光源ユニットから放射される光の色温度領域が異なっている。具体的には、図１５および図１６では、色温度が３５００Ｋ近傍であり、図１７および図１８では、色温度が５０００Ｋ近傍である。
【００６９】
図１５および図１７に示すように、発光部４２２,４３２の重なり率を変更すると、それに伴い、光源ユニットから放射される光の分光放射スペクトルの形状が変わる。これは、発光部４２２から放射された光のうち、発光部４３２の波長変換部材で吸収される光の割合が変わることを反映しているものと考えられる。このように、光源ユニットから放射される光の分光放射スペクトルの形状が変わると、当該光の光学特性を評価するための各種指標の値も変わる。具体的には、図１６および図１８に示すように、重なり率を低下させることにより、目立ち指数ＦＣＩを上昇させることができる。また、平均演色評価数Ｒａ（１〜８）の重なり率を変更したときの変化幅は、３５００Ｋ近傍では５．５であるのに対して、５０００Ｋ近傍では９．３であり、色温度が高いほど変化しやすい。
【００７０】
（３）実施の形態１で説明した基板２１，３１は、例えば、発光部が実装される上面とは反対側の下面に光拡散処理が施されている構成であってもよい。
本変形例に係る発光モジュール５２０（５３０）の斜視図を図１９（ａ）に示し、図１９（ａ）におけるＢ１−Ｂ１断面の矢視図を図１９（ｂ）に示す。なお、実施の形態１と同様の構成については同一の符号を付して適宜説明を省略する。
【００７１】
発光モジュール５２０（５３０）では、基板５２１（５３１）における発光部２２（３２）が実装される上面とは反対側の下面に複数の溝部５２１ａ（５３１ａ）が形成されている。
本構成によれば、発光部から基板５２１（５３１）の他面側に入射する光が溝部５２１ａ（５３１ａ）により拡散される。これにより、光の色斑を抑制できるとともに、基板５２１（５３１）の他面での光反射損失を低減することができる。
【００７２】
他の変形例に係る発光モジュール６２０（６３０）の斜視図を図２０（ａ）に示し、図２０（ａ）におけるＢ１−Ｂ１断面の矢視図を図２０（ｂ）に示す。なお、実施の形態１と同様の構成については同一の符号を付して適宜説明を省略する。
発光モジュール６２０（６３０）では、基板６２１（６３１）における発光部２２（３２）が実装される上面とは反対側の下面に複数の凹部６２１ａ（６３１ａ）が形成されている。
【００７３】
本構成によれば、発光部から基板６２１（６３１）の他面側に入射する光が溝部６２１ａ（６３１ａ）により拡散される。これにより、光の色斑を抑制できるとともに、基板６２１（６３１）の他面での光反射損失を低減することができる。
また、本変形例に係る基板としては、例えば、基板の下面をブラスト加工等により粗面化されたものでもよい。或いは、光を拡散するためのフィラー等が内部に混入された基板であってもよい。
【００７４】
（４）実施の形態１では、波長変換部材２５，３５が赤色蛍光体または緑色蛍光体を含有している例について説明したが、波長変換部材２５，３５に含有される蛍光体の種類はこれに限定されるものではなく、例えば、黄色蛍光体や橙色蛍光体を含有させてもよい。
この黄色蛍光体や橙色蛍光体としては、例えば、珪酸塩（シリケート）蛍光体（（Ｓｒ，Ｃａ）2ＳｉＯ4：Ｅｕ2+）、ガーネット蛍光体（Ｇａ3Ａｌ5Ｏ12：Ｃｅ3+）、αサイアロン蛍光体（Ｃａ−α−ＳｉＡｌＯＮ：Ｅｕ2+）を用いてもよい。
【００７５】
例えば、波長変換部材２５が黄色蛍光体または橙色蛍光体を含有し、波長変換部材３５が赤色蛍光体を含有する構成としてもよい。この構成では、波長変換部材２５が緑色蛍光体を含有する構成に比べて、波長変換部材２５から放射される光の波長帯域が長波長側にあるため、その分、当該光の波長変換部材３５による吸収量を低減することができ、その分、パワー効率向上を図ることができる。また、発光部２２から放射された光の波長変換部材３５による吸収量が低いので、発光モジュール２０への投入電流を変化させることによる調色制御の容易化を図ることができる。
【００７６】
また、例えば、波長変換部材２５が橙色蛍光体を含有し、波長変換部材３５が緑色蛍光体を含有する構成としてもよい。この構成では、実施の形態１に係る構成に比べて、波長変換部材２５から放射される光の波長帯域と波長変換部材３５から放射される光の波長帯域とが近づくので、色斑を目立たなくすることができる。
（５）実施の形態１では、発光モジュール１０の発光部１２が、ＬＥＤ１３と透明の封止部材１５とから構成される例について説明したが、発光モジュール１０について、例えば、封止部材１５の代わりに波長変換部材（以下、「波長変換部材１５」と称する。）を用いてもよい。ここにおいて、例えば、波長変換部材１５が緑色蛍光体を含有し、波長変換部材２５が橙色蛍光体を含有し、波長変換部材３５が、赤色蛍光体を含有する構成としてもよい。この場合、各発光モジュール１０，２０，３０から放射される光の波長帯域について互いに重なりあう帯域が広がるので、色斑を目立たなくすることができる。
【００７７】
また、ＬＥＤ１３として、ピーク波長が３５０ｎｍ乃至４７０ｎｍの波長帯域にある近紫外光を発する近紫外ＬＥＤを採用し、波長変換部材１５，２５，３５が、青色蛍光体、緑色蛍光体および赤色蛍光体のいずれかを含有する構成であってもよい。ここで、波長変換部材１５，２５，３５が含有する蛍光体の種類が互いに異なるものであってもよい。
青色蛍光体としては、例えば、ハロ珪酸塩（ハロシリケート）蛍光体、例えば、（Ｓｒ，Ｂａ，Ｃａ）5（ＰＯ4）3Ｃｌ：Ｅｕ2+、（Ｓｒ，Ｂａ，Ｃａ）5（ＰＯ4）3Ｃｌ：Ｅｕ2+、ＢａＭｇ2Ａｌ16Ｏ27：Ｅｕ2+、Ｓｒ4Ａｌ14Ｏ25：Ｅｕ2+、ＢａＡｌ8Ｏ13：Ｅｕ2+、ＢａＭｇＡｌ10Ｏ17：Ｅｕ2+、Ｓｒ2Ｓｉ3Ｏ8・２ＳｒＣｌ2：Ｅｕ2+、Ｂａ3ＭｇＳｉ2Ｏ8：Ｅｕ2+、（Ｓｒ，Ｃａ）10（ＰＯ4）6・ｎＢ2Ｏ3：Ｅｕ2+、オキシナイトライド蛍光体、例えば、｛（Ｓｒ，Ｂａ，Ｃａ）(1-x)Ｅｕx｝aＳｉbＯcＮd（０＜ｘ≦０．１、１．８＜ａ＜２．２、４．５＜ｂ＜５．５、０＜ｃ＜８、０＜ｄ≦８）を用いることができる。
【００７８】
ここにおいて、青色蛍光体を含有する波長変換部材からピーク波長が４１０ｎｍ乃至５２０ｎｍの波長帯域の光が放射される。そして、青色蛍光体を含有する波長変換部材について青色蛍光体の含有量を変更することにより、光源ユニットから放射される白色光における、４１０ｎｍ乃至５２０ｎｍの波長帯域の分光放射強度を変化させることができる。
ところで、実施の形態１では、光源ユニット１から放射される白色光について、４１０ｎｍ乃至５２０ｎｍの波長帯域の分光放射強度を変化させる場合は、ＬＥＤ１３に供給する電流の大きさを増加させることとなる。そうすると、発光モジュール１０への供給電力を増加せざるを得ない。
【００７９】
これに対して、本変形例に係る光源ユニットでは、発光モジュール１０への供給電力を変更せずに、波長変換部材中の青色蛍光体の含有量を変更するだけで、上記白色光について、４１０ｎｍ乃至５２０ｎｍの波長帯域の分光放射強度を増加させることができる。従って、消費電力の低減を図りながら、上記白色光の分光放射スペクトル形状の設定自由度を増加させることができるという利点がある。また、青色蛍光体を含有する波長変換部材から放射される光の分光放射スペクトルは、青色ＬＥＤから放射される分光放射スペクトルに比べてブロードな形状である。従って、上記白色光の分光放射スペクトルは、実施の形態１に係る光源ユニット１から放射される白色光のそれに比べて、可視光波長帯域全体に亘って比較的平坦な形状となる。これにより、上記白色光の演色性が向上する。
【００８０】
（６）実施の形態１では、最も下側に配置される発光部１２が青色光を放射し、発光部１２よりも上側に配置される発光部２２，３２が短波長帯域光または長波長帯域光を放射する例について説明した。但し、発光部１２，２２，３２から放射される光の波長帯域の設定はこれに限定されるものではない。
例えば、発光部１２が長波長帯域光を放射し、発光部１２よりも上側に配置される発光部２２が短波長帯域光を放射し、発光部２２よりも更に上側に配置される発光部３２が青色光を放射するようにしてもよい。
【００８１】
本変形例の一例として、発光部１２，２２，３２それぞれが、波長変換部材１５，２５，３５を有し、波長変換部材１５が赤色蛍光体を含有し、波長変換部材２５が緑色蛍光体を含有し、波長変換部材３５が、青色（青緑色）蛍光体を含有する構成が挙げられる。ここで、蛍光体は、一般的に、当該蛍光体から放射される光よりも長波長の光は吸収しない性質を有する。従って、最も下側に配置された発光部１２から放射された長波長帯域光は、発光部１２よりも上側に配置された発光部２２，３２の波長変換部材１５，２５に含有される青色蛍光体や緑色蛍光体で吸収されることがない。また、発光部２２から放射された短波長帯域光は、発光部２２の上側に配置された発光部３２の波長変換部材に含有される青色蛍光体で吸収されることがない。これにより、各発光部１２，２２，３２から放射された光が他の発光部による影響を受けずにそのまま光源ユニットの外部に放射されるので、光源ユニットから放射される白色光の色度を制御し易くなる。
【００８２】
ところで、実施の形態１の構成の場合、最も下側に配置された青色光を放射する発光モジュールが配置されている。この構成において、短波長帯域光を放射する発光モジュールが備える波長変換部材に含まれる緑色蛍光体として、変換効率の高いものを採用すると、最も下側の発光モジュールから放射された青色光のほとんどが短波長帯域光に変換されてしまう。すると、最も下側に配置された発光モジュールから放射される青色光がほとんど外部に取り出されなるため、当該発光モジュールへの投入電流を制御することによる白色光の分光放射スペクトルの制御が困難となる虞がある。
【００８３】
これに対して、本変形例に係る光源ユニットでは、最も上側に青色光を放射する発光モジュールが配置されているので、前述のような虞が生じないという利点がある。
図２１（ａ）に各発光部１２，２２，３２から放射される光の分光放射スペクトルを示し、図２１（ｂ）に、各発光部１２，２２，３２から放射される光のＣＩＥ  ｘｙ色度図における座標位置を示す。なお、図２１（ａ）において、実線は、発光部３２から放射される光の分光放射スペクトルを示し、点線は、発光部２２から放射される光の分光放射スペクトルを示し、一点鎖線は、発光部１２から放射される光の分光放射スペクトルを示す。また、図２１（ｂ）において、点ＰＢは、発光部１２から放射される光の色度座標を示し、点ＰＧは、発光部２２から放射される光の色度座標を示し、点ＰＲは、発光部３２から放射される光の色度座標を示す。また、曲線Ｌｉ０は、黒体軌跡を示す。
【００８４】
この構成では、発光部１２，２２，３２それぞれから放射される光の光量を調節することにより、光源ユニットから放射される光の色度座標を点ＰＢ、点ＰＧ、点ＰＲで囲まれた領域内で自由に設定することができる。
前述の一例では、発光部３２が、ＬＥＤ１３と青色蛍光体を含有する波長変換部材３５とからなる例について説明したが、これに限定されるものではなく、例えば、発光部３２が、青色光を放射するＬＥＤ１３と透明の封止部材とからなるものでもよい。
【００８５】
図２２（ａ）は各発光部１２，２２，３２から放射される光の分光放射スペクトルを示す図であり、図２２（ｂ）は光源ユニットから放射される白色光のＣＩＥ  ｘｙ色度図における色度座標の位置を説明するための図である。なお、図２２（ａ）において、実線Ｂは、発光部３２から放射される光の分光放射スペクトルを示し、太い一点鎖線Ｇ０は、発光部２２から放射される光の分光放射スペクトルを示し、細い一点鎖線Ｒ０は、発光部１２から放射される光の分光放射スペクトルを示す。また、図２２（ｂ）において、点ＰＢは、発光部３２から放射される光の色度座標を示し、点ＰＧ０は、発光部２２から放射される光の色度座標を示し、点ＰＲ０は、発光部１２から放射される光の色度座標を示す。また、曲線Ｌｉ０は、黒体軌跡を示す。
【００８６】
この構成では、発光部１２，２２，３２それぞれから放射される光の光量を調節することにより、光源ユニットから放射される白色光の色度座標を点ＰＢ、点ＰＧ、点ＰＲで囲まれた領域内で自由に設定することができる。
次に、波長変換部材１５，２５に含有される蛍光体の量を変化させた場合の光源ユニットの光学的特性について説明する。
【００８７】
図２３（ａ）に各発光部１２，２２，３２から放射される光の分光放射スペクトルを示し、図２３（ｂ）に、各発光部１２，２２，３２から放射される光のＣＩＥ  ｘｙ色度図における座標位置を示す。なお、図２３（ａ）において、実線Ｂは、発光部３２から放射される光の分光放射スペクトルを示す。また、太い一点鎖線Ｇ０、太い二点鎖線Ｇ１、太い点線Ｇ２は、３種類の波長変換部材Ｇ０，Ｇ１，Ｇ２を有する発光部２２それぞれから放射される光の分光放射スペクトルを示している。ここで、波長変換部材Ｇ０が最も緑色蛍光体の含有量が多く、波長変換部材Ｇ１、Ｇ２の順にその含有量が少なくなっている。また、細い一点鎖線Ｒ０、細い二点鎖線Ｒ１、細い点線Ｒ２は、３種類の波長変換部材Ｒ０，Ｒ１，Ｒ２を備えた発光モジュール１０それぞれから放射される光の分光放射スペクトルを示す。ここで、波長変換部材Ｒ０が最も赤色蛍光体の含有量が多く、波長変換部材Ｒ１、Ｒ２の順にその含有量が少なくなっている。
【００８８】
また、図２３（ｂ）において、点ＰＢは、発光部３２から放射される光の色度座標を示し、点ＰＧ１，ＰＧ２は、発光部２２から放射される光の色度座標を示し、点ＰＲ１，Ｒ２は、発光部１２から放射される光の色度座標を示す。また、曲線Ｌｉ０は、黒体軌跡を示す。
ここにおいて、波長変換部材２５として種類Ｇ１を用い、波長変換部材１５として種類Ｒ１を用いた構成では、発光部１２，２２，３２それぞれから放射される光の光量を調節することにより、光源ユニットから放射される白色光の色度座標を点ＰＢ、点ＰＧ１、点ＰＲ１で囲まれた領域内で自由に設定することができる。また、波長変換部材２５として種類Ｇ２を用い、波長変換部材１５として種類Ｒ２を用いた構成では、光源ユニットから放射される白色光の色度座標を点ＰＢ、点ＰＧ２、点ＰＲ２で囲まれた領域内で自由に設定することができる。
【００８９】
このように、波長変換部材１５，２５に含有される蛍光体の量を変化させることにより、光源ユニットから放射される光の色度座標のとり得る範囲を変化させることができる。
（７）実施の形態１では、発光部１２が、ＬＥＤ１３と封止部材１５、発光部２２，３２が、ＬＥＤ１３と波長変換部材２５，３５から構成される例について説明したが、発光部１２，２２，３２の少なくとも１つがＬＥＤのみから構成されてもよい。
【００９０】
本変形例に係る光源ユニットの要部分解斜視図を図２４に示す。なお、実施の形態１と同様の構成については同一の符号を付して適宜説明を省略する。また、ヒートシンク、筐体等は、実施の形態１と同様なのでここでは説明を省略する。
各発光モジュール７１０，７２０，７３０は、基板１１，２１，３１上にＬＥＤ７１３，７２３，７３３が実装されており、封止部材や波長変換部材は設けられていない。即ち、発光モジュール７１０，７２０，７３０の発光部がＬＥＤのみから構成されている。ここで、ＬＥＤ７１３，７２３，７３３は、青色ＬＥＤ、緑色ＬＥＤ、赤色ＬＥＤのいずれかからなる。また、ＬＥＤ７１３，７２３，７３３は、互いに種類が異なるものであってもよい。
【００９１】
赤色ＬＥＤは、例えば、ＧａＰ、ＧａＡｓＰ、ＩｎＧａＡｌＰ系材料から形成されており、ピーク波長が６２０ｎｍ乃至６４０ｎｍの波長帯域にある赤色光を放射する。緑色ＬＥＤは、ＩｎＡｌＧａＰ系材料から形成されており、ピーク波長が５６０ｎｍ乃至５７０ｎｍの波長帯域にある緑色光を放射する。
本変形例では、波長変換部材が不要となるので、部品点数の削減による製造容易化および部材コストの低減を図ることができる。
【００９２】
また、ＬＥＤ７１３が実装された基板１１がヒートシンク４１に面接触している。これにより、ＬＥＤ７１３は、他のＬＥＤ７２３，７３３に比べて、温度が上昇しにくくなっている。一方、赤色ＬＥＤは、緑色ＬＥＤや青色ＬＥＤに比べて温度上昇に対する発光効率の低下率が大きい。従って、ＬＥＤ７１３を赤色ＬＥＤとし、他のＬＥＤ７２３，７３３を緑色ＬＥＤ或いは青色ＬＥＤとすることで、光源ユニットから放射される光の温度変動による影響を低減することができる。
【００９３】
本変形例に係る他の光源ユニットの要部分解斜視図を図２５に示す。なお、実施の形態１と同様の構成については同一の符号を付して適宜説明を省略する。また、ヒートシンク、筐体等は、実施の形態１と同様なのでここでは説明を省略する。
光源ユニットは、発光モジュール８１０，２０，３０からなる。発光モジュール８１０は、基板１１上にＬＥＤ８１３が実装されており、封止部材や波長変換部材は設けられていない。
【００９４】
例えば、ＬＥＤ８１３が赤色ＬＥＤから構成され、ＬＥＤ１３が青色ＬＥＤから構成され、波長変換部材２５，３５それぞれが赤色蛍光体、緑色蛍光体のいずれかを含有する構成とすることができる。この構成では、光源ユニットから放射される白色光の調色において、低色温度域でＬＥＤ８１３の光出力を増加するように制御すれば、ＣＩＥ  ｘｙ色度図における白色光の色度座標をより黒体軌跡に近づけることができる。これにより、白色光の演色性向上を図ることができる。また、白色光の特殊演色評価数Ｒ９を大きくすることができるので、照明空間内に存在する赤色の物体をより鮮やかに見せることができる。
【００９５】
ところで、ＣＩＥ  ｘｙ色度図において、白色光の色度座標が黒体軌跡よりも下側、即ち、赤みを帯びた光のほうが日本人女性の肌色を好ましく見せることが実験的に明らかにされている（山口ら  「肌の色を好ましく見せるＬＥＤ光源の波長特性」  パナソニック技報  Ｖｏｌ．５８  Ｎｏ．２  Ｊｕｌ．２０１２）。
これに対して、ＬＥＤ８１３が赤色ＬＥＤから構成されることにより、光源ユニットから放射される白色光の赤みを増加させることができるので、日本人女性の肌色を好ましく見せる光源を実現することができる。
【００９６】
また、ＬＥＤ８１３が緑色ＬＥＤから構成され、ＬＥＤ１３が青色ＬＥＤから構成され、波長変換部材２５が緑色蛍光体を含有し波長変換部材３５が赤色蛍光体を含有する構成とすることができる。この構成では、ＬＥＤ８１３から放射される光により、比視感度の高い短波長帯域光の光量が増加するので、光源ユニットから放射される白色光の視感度の低下を抑制することができる。また、ＬＥＤ８１３から放射される光により、比視感度の高い短波長帯域光の光量が増加することにより、白色光の平均演色評価指数Ｒａ（１〜８）を８０以上まで増加させることができ、演色性向上を実現できる。
【００９７】
本変形例に係る他の光源ユニットの要部分解斜視図を図２６に示す。なお、実施の形態１と同様の構成については同一の符号を付して適宜説明を省略する。また、ヒートシンク、筐体等は、実施の形態１と同様なのでここでは説明を省略する。
光源ユニットは、３つの発光モジュール９１０，９２０，３０を備える。発光モジュール９１０は、基板１１上にＬＥＤ１３が実装されるとともに、ＬＥＤ１３を覆うように波長変換部材９１５が配設されている。また、発光モジュール９２０は、基板２１上にＬＥＤ９２３が実装されており、封止部材や波長変換部材は設けられていない。
【００９８】
本変形例に係る他の光源ユニットの要部分解斜視図を図２７に示す。なお、実施の形態１と同様の構成については同一の符号を付して適宜説明を省略する。また、ヒートシンク、筐体等は、実施の形態１と同様なのでここでは説明を省略する。
光源ユニットは、３つの発光モジュール１０１０，１０２０，３０を備える。発光モジュール１０１０，１０２０は、基板１１，２１上にＬＥＤ１０１３，１０２３が実装されており、封止部材や波長変換部材は設けられていない。
【００９９】
例えば、ＬＥＤ１０１３，１３が青色ＬＥＤから構成され、ＬＥＤ１０２３が緑色ＬＥＤから構成され、波長変換部材３５が赤色蛍光体を含有する構成とすることができる。この構成では、色斑を目立たなくすることができる。
（８）変形例（７）で説明した構成において、波長変換部材１５が赤色蛍光体を含有し、波長変換部材２５が緑色蛍光体を含有し、波長変換部材３５が青色蛍光体を含有する構成としてもよい。この構成によれば、波長変換部材１５から放射された光の波長変換部材２５による二次的な吸収が抑制されるとともに，波長変換部材２５から放射された光の波長変換部材３５による二次的な吸収が抑制される。
【０１００】
また、変形例（６）で説明した構成において、ＬＥＤ７１３が赤色ＬＥＤからなり、ＬＥＤ７２３が緑色ＬＥＤからなり、ＬＥＤ７３３が青色ＬＥＤからなる構成としてもよい。この構成によれば、ＬＥＤ７１３から放射された光のＬＥＤ７２３による二次的な吸収が抑制されるとともに、ＬＥＤ７２３から放射された光のＬＥＤ７３３による二次的な吸収が抑制される。
【０１０１】
そして、光源ユニットから放射される分光放射スペクトルの形状設計において、上記二次的な吸収の影響を考慮する必要が無くなると、各波長変換部材に含有される蛍光体の量の調節による分光放射スペクトルの形状設計が容易になる。ひいては、光源ユニットから放射される白色光の分光放射スペクトルの形状設計が容易になることにより、彩度の高い白色光を容易に得ることができるようになる。
【０１０２】
また、変形例（５）で説明した構成において、波長変換部材３５が緑色蛍光体を含有する構成としてもよい。この構成によれば、比視感度の高い短波長帯域光の上記二次的な吸収を抑制することができるので、上記白色光の視感度の低下を抑制することができる。
（９）実施の形態１では、３つの発光モジュール１０，２０，３０を備える光源ユニット１の例について説明したが、発光モジュールの個数は３つに限定されるものではなく、例えば、２つであってもよい。
【０１０３】
本変形例に係る光源ユニット２の分解斜視図を図２８（ａ）に示し、要部分解斜視図を図２８（ｂ）に示す。なお、実施の形態１と同様の構成については同一の符号を付して適宜説明を省略する。
光源ユニット２は、２つの発光モジュール１０，１１２０を備える。
発光モジュール１１２０は、基板２１上に２種類の発光部１１２２，１１３２が実装されている。ここで、発光部１１２２，１１３２それぞれは、複数（図２１では４個）のＬＥＤ１３と、波長変換部材１１２５，１１３５とを有する。そして、発光部１２の主光放射方向から見たときに、発光部１１２２，１１３２の一部が発光部１２に重なっている。
【０１０４】
波長変換部材１１２５，１１３５は、透光性基材に蛍光体が分散されたものである。ここで、波長変換部材１１２５に用いられる蛍光体の種類は、例えば、波長変換部材１１３５に用いられる蛍光体の種類によって異ならせてもよい。即ち、波長変換部材１１２５に用いられる蛍光体が赤色蛍光体であれば、波長変換部材１１３５に用いられる蛍光体には緑色蛍光体が採用される。一方、波長変換部材１１２５に用いられる蛍光体が緑色蛍光体であれば、波長変換部材１１３５に用いられる蛍光体には赤色蛍光体が採用される。なお、赤色蛍光体および緑色蛍光体の材料は、実施の形態１と同様である。
【０１０５】
また、発光部１２について、封止部材１５の代わりに波長変換部材を採用し、発光部１１２２，１１３２の波長変換部材１１２５，１１３５を同種のものとし、発光部１２と発光部１１２２，１１３２とが互いに色温度の異なる白色光を放射する構成でもよい。この場合、例えば、発光部１２から色温度が２０００Ｋ程度の白色光が放射され、発光部１１２２，１１３２から色温度が７０００Ｋ程度の白色光が放射されるようにすればよい。ここで、発光部１２の波長変換部材と波長変換部材１１２３，１１３５とは、いずれも緑色蛍光体および赤色蛍光体の両方を含有し、両者で緑色蛍光体と赤色蛍光体の混入比率が異なるようにすればよい。
【０１０６】
筐体２４３は、対向配置された２組の側壁２４３ａ，２４３ｂからなる略矩形枠状の形状を有し、ヒートシンク４１の上面に固着されている。また、筐体２４３の一部を構成する１組の側壁２４３ａそれぞれには、リブ２４３ｃ，２４３ｄが設けられている。また、各リブ２４３ｃ，２４３ｄにおけるヒートシンク４１側には、弾性を有する金属材料からなる導電部材２５１が配置されている。また、１組の側壁２４３ａの一方には、側壁２４３ａを厚み方向に貫通する４つの貫通孔２４３ｆ（図２８（ａ）では２つだけ図示している。）が形成されており、各貫通孔２４３ｆに被覆導線２４７ａ，２４７ｂ，２４９ａ，２４９ｂが挿通されている。そして、各被覆導線２４７ａ，２４７ｂ，２４９ａ，２４９ｂの先端部における被覆が剥離された部位が、各導電部材２５１に接触している。また、被覆導線２４７ａ，２４７ｂ，２４９ａ，２４９ｂは、一束に纏められて１つの電源線６３を構成している。
【０１０７】
本変形例では、発光モジュールが２つだけで構成されるので、光源ユニット２の小型化を図れるとともに、部品点数の削減による製造容易化および部材コストの低減を図ることができる。
（１０）図２８に示す構成では、２つの発光モジュール１０，１１２０を備えており、発光モジュール１１２０が２種類の発光部１１２２，１１３２を有する例について説明したが、必ずしも２つの発光モジュールの一方が２種類の発光部を有する構成に限定されない。
【０１０８】
本変形例に係る光源ユニットの要部分解斜視図を図２９（ａ）に示す。なお、図２８に示す構成と同様の構成については同一の符号を付して適宜説明を省略する。また、ヒートシンク、筐体等は、図２８に示す構成と同様なのでここでは説明を省略する。
本変形例に係る光源ユニットは、２つの発光モジュール１２１０，１２２０を備える。発光モジュール１２１０は、基板１１上にＬＥＤ１２１３が実装されており、封止部材や波長変換部材は設けられていない。一方、発光モジュール１２２０は、基板２１上にＬＥＤ１３を覆う波長変換部材１２２５を備える。ここにおいて、例えば、ＬＥＤ１２１３が緑色ＬＥＤから構成され、ＬＥＤ１３が青色ＬＥＤから構成され、波長変換部材１２２５が黄色蛍光体を含有する構成とすることができる。
【０１０９】
この構成では、ＬＥＤ１２１３から放射される光により、比視感度の高い短波長帯域光の光量が増加するので、光源ユニットから放射される白色光の視感度の低下を抑制することができる。また、青色ＬＥＤや赤色ＬＥＤに比べて発光効率が高い緑色ＬＥＤを用いることで、光源モジュールのパワー効率向上を図ることができる。
本変形例に係る他の光源ユニットの要部分解斜視図を図２９（ｂ）に示す。なお、図２８に示す構成と同様の構成については同一の符号を付して適宜説明を省略する。また、ヒートシンク、筐体等は、図２８に示す構成と同様なのでここでは説明を省略する。
【０１１０】
本変形例に係る光源ユニットは、２つの発光モジュール１３１０，１３２０を備える。発光モジュール１３１０は、基板１１上にＬＥＤ１３を覆う波長変換部材１３１５を備える。一方、発光モジュール１３２０は、基板２１上にＬＥＤ１３２３が実装されており、封止部材や波長変換部材は設けられていない。ここにおいて、例えば、ＬＥＤ１３が青色ＬＥＤから構成され、ＬＥＤ１３２３がＬＥＤ１３よりも長い波長帯域の青色光を放射する青色ＬＥＤから構成され、波長変換部材１３１５が黄色蛍光体を含有する構成とすることができる。
【０１１１】
この構成では、暗所における人の視認性を向上させる青色光の光量が増加するので、暗所における視認性の高い光源を実現することができる。
（１１）実施の形態１では、筐体４３に設けられた導電部材５１ａ，５３ａ，５１ｂ，５３ｂ，５１ｃ，５３ｃに、基板１１，２１，３１の電極パッド１７，２７，３７が接触することで発光モジュール１０，２０，３０への給電する手段の例について説明した。但し、発光モジュール１０，２０，３０への給電手段は、これに限定されるものではない。
【０１１２】
本変形例に係る光源ユニット３の分解斜視図を図３０に示す。なお、実施の形態１と同様の構成については同一の符号を付して適宜説明を省略する。
発光モジュール１４１０，１４２０，１４３０が備える基板１４１１，１４２１，１４３１上には、外部から電力供給を受けるための受電端子（図示せず）が設けられている。また、被覆導線２４７ａ，２４７ｂ，２４７ｃ，２４９ａ，２４９ｂ，２４９ｃの一端には、受電端子に接続可能なコネクタ３１７，３２７，３３７が設けられている。また、被覆導線２４７ａ，２４７ｂ，２４７ｃ，２４９ａ，２４９ｂ，２４９ｃは、一束に纏められて１つの電源線６３を構成している。この電源線６３は、電源装置（図示せず）に電気的に接続される。
【０１１３】
筐体３４３は、対向配置された１組の側壁３４３ａからなり、ヒートシンク４１の上面に固着されている。また、１組の側壁３４３ａそれぞれには、互いに近づく方向に突出し且つヒートシンク４１の上面に平行に延長された３対のリブ３４３ｃａ，３４３ｃｂ，３４３ｄａ，３４３ｄｂ，３４３ｅａ，３４３ｅｂが設けられている。
基板１４１１は、ヒートシンク４１の上面に載置された状態で、ヒートシンク４１の上面と一対のリブ３４３ｃａ，３４３ｃｂとの間に配置されている。
【０１１４】
基板１４２１（１４３１）は、その両端部がリブ３４３ｃａ，３４３ｃｂ（３４３ｄａ，３４３ｄｂ）におけるヒートシンク４１側とは反対側で支持された状態で、リブ３４３ｃａ，３４３ｃｂ（３４３ｄａ，３４３ｄｂ）とリブ３４３ｄａ，３４３ｄｂ（３４３ｅａ，３４３ｅｂ）との間に配置されている。
本構成によれば、電源装置から各発光モジュール１４１０，１４２０，１４３０に直接電力を供給する。これにより、筐体３４３内に各発光モジュール１４１０，１４２０，１４３０への電力供給を行うための導電部材等を配置する必要がなくなるので、筐体３４３の構造の簡素化を図ることができる。
【０１１５】
（１２）実施の形態１では、発光モジュール２０，３０において、ＬＥＤ１３が透光性を有する樹脂材料からなるダイアタッチ材を用いて基板２１，３１に固着されている例について説明したが、ダイアタッチ材は透光性を有するものに限定されるものではない。例えば、ダイアタッチ材として、白色フィラーが充填された透明樹脂材料からなる透光性の低い樹脂材料を採用してもよい。
【０１１６】
図３１に、本変形例に係る光源ユニットの要部断面図を示す。なお、実施の形態１と同様の構成については同一の符号を付して適宜説明を省略する。
この構成によれば、発光モジュール２０，３０において、ＬＥＤ１３が白色のフィラーが充填され透光性が低いダイアタッチ材１５１３により基板２１，３１に固着されている。従って、発光モジュール３０のＬＥＤ１３から放射された光が、ダイアタッチ材１５１３および基板３１を透過して発光モジュール２０の波長変換部材２５に入射することを抑制できる。また、発光モジュール２０のＬＥＤ１３から放射された光が、ダイアタッチ材１５１３および基板２１を透過して発光モジュール１０の波長変換部材１５に入射することも抑制できる。
【符号の説明】
【０１１７】
１，２，３  光源ユニット
１０，２０，３０，２２０，２３０，３１０，３２０，３３０，４１０，４２０，４３０，５２０，５３０，６２０，６３０，７１０，７２０，７３０，８１０，９１０，９２０，１０１０，１０２０，１１２０，１２１０，１２２０，１３１０，１３２０，１４１０，１４２０，１４３０  発光モジュール
１１，２１，３１，３１１，３２１，３３１，５２１，５３１，６２１，６３１，１４１１，１４２１，１４３１  基板
１２，２２，３２，２２２，２３２，３１２，３２２，３３２，４１２，４２２，４３２，１１２２，１１３２，１２２２，１３１２  発光部
１３，７１３，７２３，７３３，８１３，９２３，１０１３，１０２３，１２１３，１３２３  ＬＥＤ（発光素子）
１５      封止部材
２５，３５，２２５，２３５，９１５，１１２５，１１３５，１２２５，１３１５  波長変換部材
２０１    照明装置
２０４ａ  電源回路
【図１】
2014135150.tif 000004
【図２】
2014135150.tif 000005
【図３】
2014135150.tif 000006
【図４】
2014135150.tif 000007
【図５】
2014135150.tif 000008
【図６】
2014135150.tif 000009
【図７】
2014135150.tif 000010
【図８】
2014135150.tif 000011
【図９】
2014135150.tif 000012
【図１０】
2014135150.tif 000013
【図１１】
2014135150.tif 000014
【図１２】
2014135150.tif 000015
【図１３】
2014135150.tif 000016
【図１４】
2014135150.tif 000017
【図１５】
2014135150.tif 000018
【図１６】
2014135150.tif 000019
【図１７】
2014135150.tif 000020
【図１８】
2014135150.tif 000021
【図１９】
2014135150.tif 000022
【図２０】
2014135150.tif 000023
【図２１】
2014135150.tif 000024
【図２２】
2014135150.tif 000025
【図２３】
2014135150.tif 000026
【図２４】
2014135150.tif 000027
【図２５】
2014135150.tif 000028
【図２６】
2014135150.tif 000029
【図２７】
2014135150.tif 000030
【図２８】
2014135150.tif 000031
【図２９】
2014135150.tif 000032
【図３０】
2014135150.tif 000033
【図３１】
2014135150.tif 000034